(57)【要約】【課題】  扉の取付位置調整を容易にしてその調整作業の向上を図ると共に扉を任意の正確な位置に取付可能にする扉のヒンジ機構を提供する。【解決手段】  軸受８が設けられた扉側取付板５に扉の取付位置を調整する取付位置調整機構部８が備えられ、その調整機構部８には少なくとも前後方向調整部材１３と左右方向調整部材１４が設けられ、前後方向調整部材１３には左右方向の長孔１２ａが形成されると共に調整ねじ１７bにより前後方向に移動され、左右方向調整部材１４には斜め方向の長孔１２ｂが形成されると共に調整ねじ１７aにより前後方向に移動され、左右方向長孔１２ａと斜め方向長孔１２ｂが交差する部分に軸受１８が装着されている。【選択図】    図１
2006274570.tif 000002
【特許請求の範囲】
【請求項１】
上下の固定側取付板に支持軸が設けられ、上下の扉側取付板に軸受が設けられて該軸受に前記支持軸が嵌合されて扉が回動可能になっている扉のヒンジ機構において、前記軸受が設けられた扉側取付板に扉の取付位置を調整する取付位置調整機構部が備えられ、該調整機構部には少なくとも前後方向調整部材と左右方向調整部材が設けられ、前記前後方向調整部材には左右方向長孔が形成されると共に調整ねじが装着され、該調整ねじにより前後方向調整部材は前後方向に移動され、前記左右方向調整部材には斜め方向長孔が形成されると共に調整ねじが装着され、該調整ねじにより左右方向調整部材は前後方向に移動され、前記左右方向長孔と斜め方向長孔が交差する部分に前記軸受が装着されていることを特徴とする扉のヒンジ機構。
【請求項２】
前記前後方向調整部材に装着された調整ねじと前記左右方向調整部材に装着された調整ねじが前記取付位置調整機構部の一面の左右に配置されている請求項１記載の扉のヒンジ機構。
【請求項３】
前記前後方向調整部材に装着された調整ねじと前記左右方向調整部材に装着された調整ねじが前記取付位置調整機構部の一面の上下に配置されている請求項１記載の扉のヒンジ機構。
【請求項４】
前記下側の取付位置調整機構部に装着された軸受に、該軸受の奥行を調整する調整ねじが装着されている請求項１，２又は３のいずれか記載の扉のヒンジ機構。
【発明の詳細な説明】
【技術分野】
【０００１】
本発明は、建物の入口や部屋の入口などに設けられる扉のヒンジ機構に関するものである。
【背景技術】
【０００２】
建物の入口や部屋の入口などに設けられる扉は、柱や壁などの固定材側と扉との間のヒンジ機構を介して回動し、開閉可能に取付られている。
この種の扉のヒンジ機構は、例えば、上下の固定材側取付板に支持軸又は軸受が設けられ、上下の扉側取付板に軸受又は支持軸が設けられており、支持軸が軸受に嵌合し扉が回動可能になっている。
【０００３】
また、扉を固定材側の所望の位置に正しく組み込まれることを目的として、扉のヒンジ機構には、支持軸又は軸受の前後方向，左右方向、あるいは上下方向の位置を微調整することができる位置調整機構部を備えたものが、特開平９−２０３２６０号公報、特開平９−２０９６４１号公報に記載されている。
【０００４】
しかしながら、前記公報に記載されている位置調整機構部は、支持軸の位置をその調整機構部に装着された調整ねじで正面側及び側面側の２方向から調整する方式であるために、場所や方向を変えて行う作業となり、また通常狭い場所での作業のこともあって調整作業が難しい。ことによっては扉を何回か外して行うことなる。また工具が入り難い狭い空間での変則的な作業となり、作業性が悪い。
【０００５】
また、偏心カムを利用した位置調整機構部により、１方向から支持軸の軸心の前後方向及び左右方向の位置を調整できるものが、実開昭５９−６２１６９号公報に提示されている。しかしながら、前記公報の記載された偏心カムを利用した位置調整では、その位置調整軸は偏心カムが描く軌跡に制約されてしまい、扉の取付位置を正確に調整することは困難である。
【特許文献１】特開平９−２０３２６０号公報
【特許文献２】特開平９−２０９６４１号公報
【特許文献３】実開昭５９−６２１６９号公報
【発明の開示】
【発明が解決しようとする課題】
【０００６】
本発明は、上記のような問題点を解決しようとするものであり、扉の取付位置調整を容易にし調整作業の向上を図るとともに、扉を所望の位置に取付可能とする扉のヒンジ機構を提供することを目的としている。
【課題を解決するための手段】
【０００７】
本発明に係る請求項１の扉のヒンジ機構は、上下の固定材側取付板に支持軸が設けられ、上下の扉側取付板に軸受が設けられて該軸受に前記支持軸が嵌合されて扉が回動可能になっている扉のヒンジ機構において、前記軸受が設けられた扉側取付板に扉の取付位置を調整する取付位置調整機構部が備えられ、該調整機構部には少なくとも前後方向調整部材と左右方向調整部材が設けられ、前記前後方向調整部材には左右方向長孔が形成されると共に調整ねじが装着され、該調整ねじにより前後方向調整部材は前後方向に移動され、前記左右方向調整部材には斜め方向長孔が形成されると共に調整ねじが装着され、該調整ねじにより左右方向調整部材は前後方向に移動され、前記左右方向長孔と斜め方向長孔が交差する部分に前記軸受が装着されていることを特徴とする。
【０００８】
請求項２の発明は、前記前後方向調整部材に装着された調整ねじと前記左右方向調整部材に装着された調整ねじが前記取付位置調整機構部の一面の左右に配置されている。
【０００９】
請求項３の発明は、前記前後方向調整部材に装着された調整ねじと前記左右方向調整部材に装着された調整ねじが前記取付位置調整機構部の一面の上下に配置されている。
【００１０】
請求項４の発明は、前記下側の取付位置調整機構部に装着された軸受に、該軸受の奥行を調整する調整ねじが装着されている。
【発明の効果】
【００１１】
本発明によれば、次のような効果を奏する。請求項１の発明によれば、前後方向移動可能な調整ねじにより前後方向調整部材が前後方向に移動するが、軸受は左右方向調整部材に形成された斜め方向長孔に動きを規制されて前後方向に移動して前後方向の位置が微調整される。つまり、軸受の前後方向の調整により、扉のＹ軸方向の位置が調整され決定される。
【００１２】
一方、調整ねじにより左右方向調整部材を前後方向に移動させて軸受を調整すれば、斜め方向長孔に沿って移動しようとするが、左右方向長孔に動きを規制され左右方向に移動して左右方向の位置が調整される。即ち、扉のＸ軸方向の位置が調整される。
【００１３】
従って、作業し難いことによる扉を何回か外して行う扉の取付位置調整や工具が入り難い狭い空間での作業を回避して取付位置調整作業の向上が図れる。
前後方向，左右方向の調整が前後方向調整部材及び左右方向調整部材によって個別に行われて任意の位置に調整されるので、正確な位置決め操作が行われる。
因みに、偏心カムを利用した位置調整であると、位置調整軸心が偏心カムが描く軌跡に制約されて、任意の取付位置に正確に微調整することが困難である。
【００１４】
請求項２の発明によれば、取付位置調整機構部の一面の左右に配置された調整ねじで行なわれるので、一方方向から、即ち正面側から調整が行われて、作業が向上する。従って、作業し難いことによる扉を何回か外して行う扉の取付位置調整や工具が入り難い狭い空間での作業を回避して取付位置調整作業の向上が図れる。また、左右に配置された同一面での調整ねじの配置構造になるので、前後方向調整部材及び左右方向調整部材の薄型化が期待され、部材のプレス加工を可能にしてコスト低減が図れる。
【００１５】
請求項３の発明によれば、取付位置調整機構部の一面の上下に配置されたねじで行なわれるので、一方向（正面側）から調整が行われて同様に作業が向上する。またこの場合、上下に配置された同一垂直面でのねじの配置構造になるので、前後方向調整部材及び左右方向調整部材の左右幅を小さくして、ヒンジ機構の小型化が期待される。
【００１６】
請求項４の発明によれば、調整ねじの操作によって軸受の奥行（深さ）が変えられ、軸受の上下方向位置が移動して、Ｚ軸方向の位置が調整される。従って、前項と相俟って扉のＹ軸，Ｘ軸，Ｚ軸の３方向の位置調整が行われる。
【発明を実施するための最良の形態】
【００１７】
以下に本発明の実施の形態について図面を参照して説明する。
【００１８】
図１は、本発明の実施の形態に係る扉のヒンジ機構の一部分解斜視図である。図２（ａ），（ｂ）はヒンジ機構の要部を説明する分解斜視図、図３（ａ），（ｂ）,（ｃ）はヒンジ機構の要部の他の部分を説明する分解斜視図である。
図４は扉の前後左右方向の調整をする様子を示し、（ａ）その操作を示す説明図、（ｂ）は前後方向の調整をする様子を示す説明図、（ｃ）は左右方向の調整をする様子を示す説明図、図５は扉の上下方向の調整をする様子を示し、（ａ）その操作を示す説明図、（ｂ）は上部側の様子を示す説明図、（ｃ）は下部側の様子を示す説明図である。
【００１９】
この実施形態の扉のヒンジ機構１は、柱などの固定材２側の上下の部分と扉３側の上下の部分にＬ字状の固定材側取付板４及び扉側取付板５がそれぞれ備えられている。上下の固定材側取付板４,４には、扉３を支持するための支持軸６ａ,６ｂが互いに対向して設けられている。下側の支持軸６ｂは、支持抵抗を和らげるために先端に回転ボール７が取付けられている。上下の扉側取付板５,５には、扉３の取付位置を調整するための取付位置調整機構部８，８が互いに対向して設けられている。従って、上側の扉側取付板５には、取付位置調整機構部８が下の方向に設けられる。
【００２０】
前記各取付位置調整機構部８は、次のような構造になっている。まず、図２（ａ）に示すように、扉側取付板５に設けられた開口孔９がある部分に、中央部に開口９を有する台座１０が支持ピン１１ａによりピン止めされている。次に、図２（ｂ）に示すように、台座１０上には中央部に左右方向長孔１２ａが形成された前後方向調整部材１３と中央部に斜め方向長孔１２ｂが形成された左右方向調整部材１４が左右の支持ピン１１ｂ,１１ｃに支持されて設けられている。支持ピン１１ａ, １１ｂ, １１ｃは、前後方向調整部材１３及び左右方向調整部材１４の前後方向に形成されたスライド溝１５内に設けられている。
【００２１】
台座１０, 前後方向調整部材１３及び左右方向調整部材１４には、一側部又は両側部に突出片  が設けられ、台座１０の突出片  には貫通孔１６ａと止孔１６ｂとが穿設され、前後方向調整部材１３には貫通孔１６ａ,止孔１６ｂとねじ孔１６ｃとが穿設され、また左右方向調整部材１４にはねじ孔１６ｃが穿設されている。そして、図３（ａ）に示すように台座１０, 前後方向調整部材１３と左右方向調整部材１４が重なった両側部には、前述の各孔からなる連続する孔が配置されて、その左右側部の連続孔にそれぞれ調整ねじ１７ａ，１７ｂが通され例えばクリップ止めで装着されている。
【００２２】
また、図３（ｂ）,（ｃ）に示すように扉側取付板５に台座１０, 前後方向調整部材１３と左右方向調整部材１４が重ねられた扉側取付板５部分には、開口孔９, 左右方向長孔１２ａ, 斜め方向長孔１２ｂが連続し、その部分に軸受１８が貫通され、ワッシャーを介して先端部が例えばクリップで止められて装着されている。
【００２３】
図３（ｂ）は、下側の扉側取付板５に取付位置調整機構部８が備えられたものを示し、図３（ｃ）は、上側の扉側取付板５に取付位置調整機構部８が備えられたもの示したものである。下側の扉側取付板５に備えられた取付位置調整機構部８には、軸受１８にその軸受の奥行を調整する調整ねじ１７ｃが装着されている（図５（ｃ）参照）。尚、取付位置調整機構部８の部分には、埃を避けるためのカバー１９が冠着されている。
【００２４】
扉３の取付位置を調整する時は、上下の取付位置調整機構部８に装着された軸受１８の前後左右及び上下位置を微調整することにより行なわれる。
取付位置調整機構部８の右側部に設けられた調整ねじ１７ｂを回転操作し、前後方向調整部材１３を前後方向に移動させて、軸受１８の位置を微調整する。
調整ねじ１７bを操作すると、前後方向調整部材１３が前後方向に移動し、軸受１８は斜め方向長孔１２ｂにより動きを規制されて、図４（ｂ）１乃至３に示すように前後方向、即ちＹ軸方向に移動して扉３のＹ軸方向の取付位置が調整される。
【００２５】
一方、調整ねじ１７aを回転操作すると、左右方向調整部材１４が前後方向に移動し、軸受１８は左右方向調整部材１４に形成された斜め方向長孔１２ｂに沿って移動しようとするが、左右方向長孔１２ａにより動きを規制されて、図４（ｃ）１乃至３に示すように左右方向、即ちＸ軸方向に移動して扉３のＸ軸方向の取付位置が調整される。
【００２６】
また、軸受１８内の調整ねじ１７ｃを回転操作すると、軸受１８の奥行が変化し、その深さが変わり、下部側の取付位置調整機構部８の位置が図５（ｃ）１,２に示すように上下方向、即ちＺ軸方向に移動し、上部側の取付位置調整機構部８の位置が図５（ｂ）１,２に示すようにＺ軸方向の位置が移動し、扉３全体のＺ軸方向の取付位置が調整される。
【００２７】
この扉３の取付位置の調整、特に前後左右方向の取付調整は、取付位置調整機構部８の一平面、即ち正面の左右に配置された調整ねじ１７ａ, １７ｂで操作が行われるので、操作し易く作業性がよい。
【００２８】
図６は、本発明に係る扉のヒンジ機構の他の実施形態で、その要部の斜視図、図７はその要部分解斜視図で、取付位置調整機構部を備えた下部側の扉側取付板を示したものである。
【００２９】
この実施の形態は、前記実施の形態と同様に上下の固定材側取付板に支持軸が設けられているが（図示せず）、上下の扉側取付板２０に備えられた取付位置調整機構部２１の構造が前記実施の形態とは異なる。
【００３０】
各取付位置調整機構部２１は、扉側取付板２０の開口孔２２が形成された部分に前後方向に設けられたスライド突条２３ａとねじ孔１６ｃを有する突出片とが設けられ、その開口孔２２がある部分にブロック状の前後方向調整部材２４が設けられている。前後方向調整部材２４は、その中央部に左右方向長孔２５が形成され、上下面に前後方向にそれぞれ摺動溝２６ａ,２６ｂが設けられ、またその一側部の前後に側面に突起する突出片が設けられて、各突出片にそれぞれ２つの貫通孔１６ａと止孔１６ｂが穿設されている。
【００３１】
前後方向調整部材２４上には、ブロック状の左右方向調整部材２７が設けられている。左右方向調整部材２７は、その中央部に斜め方向長孔２８が形成され、下面に前後方向にスライド突条２３ｂが設けられ，また側面に突起する突出片が設けられてそこにねじ孔１６ｃが穿設されている。
前後方向調整部材２４と左右方向調整部材２７が重ねて設けられた扉側取付板２０の部分には、開口孔２２, 左右方向長孔２５, 斜め方向長孔２８が連続し、その部分に軸受２９が貫通されて、その先端部をワッシャーを介してクリップ等で止められて装着されている。
【００３２】
また、扉側取付板２０, 前後方向調整部材２４と左右方向調整部材２７に形成された貫通孔１６ａ,止孔１６ｂとねじ孔１６ｃが連続するこれらの連続孔に、調整ねじ１７ａ，１７ｂが通されてその先端部がクリップ等で止められて装着されている。そして、これらの調整ねじ１７ａ，１７ｂは、各取付位置調整機構部２１の正面の側部の上下に配置されている。また、軸受２９には、その軸受の奥行を調整する調整ねじ１７ｃが装着されている。なお、図示しないが、上側の扉側取付板には、下側に取付位置調整機構部が備えられる。
【００３３】
扉の取付位置を調整する時は、各取付位置調整機構部２１の正面の側部上下に配置されている調整ねじ１７ａ，１７ｂの操作によって、前後（Ｙ軸）方向及び左右（Ｙ軸）方向の微調整が行われ、また調整ねじ１７ｃの操作によって上下（Ｚ軸）方向の微調整が行われ、前記実施の形態と同様に、取付位置調整機構部２１の一平面、即ち正面に配置された上下の調整ねじ１７ａ, １７ｂで操作が行われるので、操作し易くなって作業が向上する。
また、調整ねじ１７ａ, １７ｂが上下に配置されているので、前後方向調整部材及び左右方向調整部材の左右方向の幅を小さくして、扉のヒンジ機構の小型化が期待される。
【００３４】
前記実施の形態は、取付位置調整機構部でＸ軸,Ｙ軸及びＺ軸方向の３方向の微調整が可能になっているが、Ｚ軸方向の微調整を必要としない場合には、Ｘ軸,Ｙ軸方向だけ調整が可能な構成にしてもよい。
また、前記実施の形態は、上下の固定材側取付板に支持軸が設けられ、上下の扉側取付板に軸受があるヒンジ機構になっているが、必要によっては、逆に扉の上下の扉側取付板に支持軸が設けられ、上下の固定材側取付板に支持軸がある扉のヒンジ機構に採用できる。
【図面の簡単な説明】
【００３５】
【図１】本発明の一実施の形態に係る扉のヒンジ機構の一部分解斜視図である。
【図２】ヒンジ機構の要部を説明する分解斜視図である。
【図３】ヒンジ機構の要部の他の部分を説明する分解斜視図である。
【図４】扉の前後左右方向の調整をする様子を示す説明図である。
【図５】扉の上下方向の調整をする様子を示す説明図である。
【図６】本発明に係る扉のヒンジ機構の他の実施形態で、その要部の斜視図である。
【図７】その要部分解斜視図である。
【符号の説明】
【００３６】
１  扉のヒンジ機構、２  固定材、３  扉、４  固定材側取付板、５  扉側取付板、６ａ，６ｂ  支持軸、８  取付位置調整機構部、１２ａ  左右方向長孔、１２ｂ  斜め方向長孔、１３  前後方向調整部材、１４  左右方向調整部材、１７ａ，１７ｂ,１７ｃ  調整ねじ、１８  軸受
【図１】
2006274570.tif 000003
【図２】
2006274570.tif 000004
【図３】
2006274570.tif 000005
【図４】
2006274570.tif 000006
【図５】
2006274570.tif 000007
【図６】
2006274570.tif 000008
【図７】
2006274570.tif 000009